【手続補正書】
【提出日】平成20年9月4日(2008.9.4)
【手続補正１】
【補正対象書類名】特許請求の範囲
【補正対象項目名】全文
【補正方法】変更
【補正の内容】
【特許請求の範囲】
【請求項１】
少なくとも第１の動作モードと第２の動作モードを有し、前記第１及び第２の動作モードにおいて、外部装置に対する画像データ転送が可能な撮像装置であって、
前記外部装置との通信を行う通信手段と、
前記第１及び第２の動作モードの切替指示を検出する検出手段と、
前記第１及び第２の動作モードの一方の動作モードにおいて、前記通信手段が前記外部装置へ画像データを転送している際に、前記検出手段が前記第１及び第２の動作モードの他方の動作モードへの切替指示を検出した場合、前記通信手段が実行中の転送が完了するのを待ってから、前記他方の動作モードへの切替を行う切替制御手段とを有することを特徴とする撮像装置。
【請求項２】
さらに、前記第１及び第２の動作モードの一方の動作モードにおいて、前記通信手段が前記外部装置へ画像データを転送している際に、前記検出手段が前記第１及び第２の動作モードの他方の動作モードへの切替指示を検出した場合、前記通信手段が実行中の転送処理の中止指示をユーザが前記撮像装置に入力することを可能とするユーザインターフェースを提示する提示手段をさらに有し、
前記切替制御手段は、前記ユーザインターフェースから前記中止指示が入力された場合には、前記通信手段が実行中の転送処理を中止させた後、前記他方の動作モードへの切替を行うことを特徴とする請求項１記載の撮像装置。
【請求項３】
前記通信手段は、前記撮像装置が前記第１及び第２の動作モードのいずれで動作しているかに関わらず、前記画像データを同一手順で前記外部装置に転送することを特徴とする請求項１又は請求項２記載の撮像装置。
【請求項４】
少なくとも第１の動作モードと第２の動作モードを有し、前記第１及び第２の動作モードにおいて、外部装置に対する画像データ転送が可能な撮像装置であって、
前記外部装置との通信を行う通信手段であって、前記撮像装置が前記第１及び第２の動作モードのいずれで動作しているかに関わらず、前記画像データを同一手順で前記外部装置に転送し、かつ前記転送をバックグラウンド処理可能な通信手段と、
前記第１及び第２の動作モードの切替指示を検出する検出手段と、
前記第１及び第２の動作モードの一方の動作モードにおいて、前記通信手段が前記外部装置へ画像データを転送している際に、前記検出手段が前記第１及び第２の動作モードの他方の動作モードへの切替指示を検出した場合、前記通信手段が実行中の転送を前記バックグラウンド処理させながら、前記他方の動作モードへの切替を行う切替制御手段とを有することを特徴とする撮像装置。
【請求項５】
前記切替指示をユーザから受け付けるためのモード切替部材をさらに有することを特徴とする請求項１乃至請求項４のいずれか１項に記載の撮像装置。
【請求項６】
前記通信手段がＰＴＰ通信により前記画像データの転送を行うとともに、前記外部装置に転送する画像データがある場合、当該転送する画像データを特定するための情報と共に転送要求を前記外部装置に対して送信することを特徴とする請求項１乃至請求項５のいずれか１項に記載の撮像装置。
【請求項７】
少なくとも第１の動作モードと第２の動作モードを有し、前記第１及び第２の動作モードにおいて外部装置に対する画像データ転送が可能な撮像装置であり、外部装置との通信を行う通信手段と、前記第１及び第２の動作モードの切替指示を検出する検出手段とを有する撮像装置の制御方法であって、
前記第１及び第２の動作モードの一方の動作モードにおいて、前記通信手段が前記外部装置へ画像データを転送している際に、前記検出手段が前記第１及び第２の動作モードの他方の動作モードへの切替指示を検出した場合、前記通信手段が実行中の転送が完了するのを待ってから、前記他方の動作モードへの切替を行うように制御する切替制御工程を有することを特徴とする撮像装置の制御方法。
【請求項８】
少なくとも第１の動作モードと第２の動作モードを有し、前記第１及び第２の動作モードにおいて外部装置に対する画像データ転送が可能な撮像装置であり、前記撮像装置が前記第１及び第２の動作モードのいずれで動作しているかに関わらず、前記画像データを同一手順で前記外部装置に転送し、かつ前記転送をバックグラウンド処理可能な通信手段と、前記第１及び第２の動作モードの切替指示を検出する検出手段とを有する撮像装置の制御方法であって、
前記第１及び第２の動作モードの一方の動作モードにおいて、前記通信手段が前記外部装置へ画像データを転送している際に、前記検出手段が前記第１及び第２の動作モードの他方の動作モードへの切替指示を検出した場合、前記通信手段が実行中の転送を前記バックグラウンド処理させながら、前記他方の動作モードへの切替を行う切替制御工程を有することを特徴とする撮像装置の制御方法。
【請求項９】
少なくとも第１の動作モードと第２の動作モードを有し、前記第１及び第２の動作モードにおいて外部装置に対する画像データ転送が可能な撮像装置であり、外部装置との通信を行う通信手段と、前記第１及び第２の動作モードの切替指示を検出する検出手段とを有する撮像装置が備えるコンピュータに、
前記第１及び第２の動作モードの一方の動作モードにおいて、前記通信手段が前記外部装置へ画像データを転送している際に、前記検出手段が前記第１及び第２の動作モードの他方の動作モードへの切替指示を検出した場合、前記通信手段が実行中の転送が完了するのを待ってから、前記他方の動作モードへの切替を行うように制御する切替制御工程を実行させるためのプログラム。
【請求項１０】
少なくとも第１の動作モードと第２の動作モードを有し、前記第１及び第２の動作モードにおいて外部装置に対する画像データ転送が可能な撮像装置であり、前記撮像装置が前記第１及び第２の動作モードのいずれで動作しているかに関わらず、前記画像データを同一手順で前記外部装置に転送し、かつ前記転送をバックグラウンド処理可能な通信手段と、前記第１及び第２の動作モードの切替指示を検出する検出手段とを有する撮像装置が備えるコンピュータに、
前記第１及び第２の動作モードの一方の動作モードにおいて、前記通信手段が前記外部装置へ画像データを転送している際に、前記検出手段が前記第１及び第２の動作モードの他方の動作モードへの切替指示を検出した場合、前記通信手段が実行中の転送を前記バックグラウンド処理させながら、前記他方の動作モードへの切替を行う切替制御工程を実行させるためのプログラム。
【手続補正２】
【補正対象書類名】明細書
【補正対象項目名】００１０
【補正方法】変更
【補正の内容】
【００１０】
また、上述の目的は、少なくとも第１の動作モードと第２の動作モードを有し、第１及び第２の動作モードにおいて外部装置に対する画像データ転送が可能な撮像装置であり、外部装置との通信を行う通信手段と、第１及び第２の動作モードの切替指示を検出する検出手段とを有する撮像装置の制御方法であって、第１及び第２の動作モードの一方の動作モードにおいて、通信手段が外部装置へ画像データを転送している際に、検出手段が第１及び第２の動作モードの他方の動作モードへの切替指示を検出した場合、通信手段が実行中の転送が完了するのを待ってから、他方の動作モードへの切替を行うように制御する切替制御工程を有することを特徴とする撮像装置の制御方法によっても達成される。